(57)【要約】【課題】使用感、および小型化・携帯性に優れたマスクを提供する。【解決手段】マスク１００は、使用者の口および鼻を覆うマスク本体部１０１と、マスク本体部１０１の両端部に設けられ、マスク本体部１０１を使用者の顔に保持する耳掛け部１０２と、を備え、耳掛け部１０２は、使用者の耳を挿入するためのスリット１５０を有し、マスク本体部１０１側から先端部側に最も伸縮する方向を伸縮方向Ｄ１とし、スリット１５０は、耳掛け部１０２の伸縮方向Ｄ１に延びるとともに、耳掛け部１０２の先端側においてなだらかに曲がっている。【選択図】図１
2019189988.tif 000002
【特許請求の範囲】
【請求項１】
使用者の口および鼻を覆うマスク本体部と、
前記マスク本体部の両端部に設けられ、前記マスク本体部を前記使用者の顔に保持する耳掛け部と、
を備え、
前記耳掛け部は、前記使用者の耳を挿入するためのスリットを有し、前記マスク本体部側から先端部側に最も伸縮する方向を伸縮方向とし、
前記スリットは、前記耳掛け部の前記伸縮方向に延びるとともに、前記耳掛け部の先端側においてなだらかに曲がっている、マスク。
【請求項２】
前記スリットが交点を有さない、請求項１に記載のマスク。
【請求項３】
前記スリットが、前記耳掛け部の先端側から前記マスク本体部側に折り返すように曲がっている、請求項１または２に記載のマスク。
【請求項４】
前記スリットの前記マスク本体部側に最も近い点を第１点とし、
第１点から前記伸縮方向に最も離れた前記スリット上の点を第２点とし、
第１点を始点とし、第１点から連続した前記スリットの終点を第３点としたとき、
第３点における接線が、第２点における接線に対し、１２０°以下である、請求項１乃至３いずれか一項に記載のマスク。
【請求項５】
第１点を始点とし、第１点から第２点まで連続した前記スリットのうち、第１点と第２点とを結ぶ直線からの距離が最も遠い点を第４点としたとき、
第４点における接線が、第２点における接線に対し、６０°以上、１２０°以下である、請求項１乃至４いずれか一項に記載のマスク。
【請求項６】
前記スリットの第２点を含む曲率半径が、５ｍｍ以上２０ｍｍ以下である、請求項１乃至５いずれか一項に記載のマスク。
【請求項７】
前記スリットの第３点が、第１点と第２点を結ぶ直線に対し、前記マスクの使用時において前記使用者の耳の上側に近い側に配置される、請求項１乃至６いずれか一項に記載のマスク。
【請求項８】
前記耳掛け部において、前記マスクの使用時において前記使用者の耳の上側に近い側の端部を上端とし、前記使用者の耳の下側に近い側の端部を下端と定義し、
前記伸縮方向に対して垂直な方向における前記耳掛け部の前記下端から前記スリットまでの距離が最短となるときの前記耳掛け部の前記上端から前記下端までの長さに対する、前記耳掛け部の前記下端から前記スリットまでの最短距離が１／２未満である、請求項１乃至７いずれか一項に記載のマスク。
【請求項９】
第１点から第２点まで連続する第１スリットが第４点を頂点とする円弧状であり、かつ第４点の位置が第１点よりも第２点に近く、
第２点から第３点まで連続する第２スリットが第３点を頂点とする円弧状であり、かつ第１スリットの長さよりも短い、請求項５乃至８いずれか一項に記載のマスク。
【請求項１０】
前記耳掛け部は、不織布からなる、請求項１乃至９いずれか一項に記載のマスク。
【請求項１１】
前記マスク本体部が機能体を有する、請求項１乃至１０いずれか一項に記載のマスク。
【請求項１２】
前記機能体が水蒸気を発生する、請求項１１に記載のマスク。
【請求項１３】
前記機能体が、被酸化性金属の酸化反応により温熱蒸気を発生する、請求項１１または１２に記載のマスク。
【請求項１４】
前記機能体が香気成分を含む、請求項１１乃至１３いずれか一項に記載のマスク。
【請求項１５】
前記スリットが、前記マスクの使用時において破線部を切り離すことにより形成されるように構成されている、請求項１乃至１４いずれか一項に記載のマスク。
【発明の詳細な説明】
【技術分野】
【０００１】
本発明は、マスクに関する。
【背景技術】
【０００２】
マスクは、外気の粉塵、花粉を遮り、風邪やウィルス感染を予防する観点から、広く利用されている。近年においては、衛生面だけでなく、機能性、利便性、および使用感など様々な観点から、新たなマスクが開発されている。このようなマスクは通常、耳掛け部を有し、耳掛け部を耳にかけることにより、装着される。例えば、特許文献１には、耳掛け部に開口部が形成された従来のマスクの一例が示されている。
【先行技術文献】
【特許文献】
【０００３】
【特許文献１】特開２０１８−３５８７３号公報
【発明の概要】
【発明が解決しようとする課題】
【０００４】
特許文献１に開示されるような従来の開口部を有する耳掛け部は、耳掛け部用のシートに開口部を形成するように切り取ることにより製造されていたため、切り取られた破片はごみとして廃棄されていた。一方で、耳掛け部に開口部を形成せず、特段の工夫を施すことなくスリットを形成した場合、マスクの使用時等において耳掛け部が伸長されることで、スリットの端部から千切れが発生し、耳掛け部が破損してしまうことがあった。そこで、本発明者らは、開口部によるごみを発生させずに、使用時における耳掛け部の破損の発生を抑制するという課題を解決する観点から、検討を行った結果、耳掛け部に対するスリットの位置およびスリットの形状を所定のものにすることが有効であるという知見を得た。
【課題を解決するための手段】
【０００５】
本発明は、
使用者の口および鼻を覆うマスク本体部と、
前記マスク本体部の両端部に設けられ、前記マスク本体部を前記使用者の顔に保持する耳掛け部と、
を備え、
前記耳掛け部は、前記使用者の耳を挿入するためのスリットを有し、前記マスク本体部側から先端部側に最も伸縮する方向を伸縮方向とし、
前記スリットは、前記耳掛け部の前記伸縮方向に延びるとともに、前記耳掛け部の先端側においてなだらかに曲がっている、マスク
を提供する。
【発明の効果】
【０００６】
本発明によれば、使用時における耳掛け部の千切れを抑制できるマスクを提供できる。
【図面の簡単な説明】
【０００７】
【図１】本実施形態のマスクを横から見た平面図である。
【図２】本実施形態のマスクの使用時の状態を横から見た平面図である。
【図３】本実施形態のマスクの耳掛け部のスリットの変形例を示す平面図である。
【図４】本実施形態の機能体を有するマスクを模式的に示す平面図である。
【図５】本実施形態の機能体を説明する断面図である。
【発明を実施するための形態】
【０００８】
以下、本発明の実施の形態について、図面を用いて説明する。尚、すべての図面において、同様な構成要素には同様の符号を付し、適宜説明を省略する。また、本明細書中において「〜」は特に断りがなければ以上から以下を表す。また、各実施形態に記載される構成・要素は発明の効果を損なわない限りにおいて適宜組み合わせることもできる。
【０００９】
なお、以下の実施形態では、マスクが立体形状を形成し、マスク本体部の縦中央部において二つ折りにされる例について説明するが、マスクはこの例に限られない。例えば、マスクは立体形状を形成しない平坦形状のものであってもよく、また、マスク本体部が幅方向にプリーツを有するものであってもよい。
【００１０】
［マスク］
図１は、本実施形態のマスクを横から見た平面図である。図２は、本実施形態のマスクの使用時の状態を横から見た平面図である。
図１に示すように、マスク１００は、使用者の口および鼻を覆うマスク本体部１０１と、マスク本体部１０１の両端部に設けられ、マスク本体部１０１を使用者の顔に保持する耳掛け部１０２と、を備え、耳掛け部１０２は、使用者の耳を挿入するためのスリット１５０を有し、マスク本体部１０１側から先端部側に最も伸縮する方向を伸縮方向Ｄ１とし、スリット１５０は、耳掛け部１０２の伸縮方向Ｄ１に延びるとともに、耳掛け部１０２の先端側においてなだらかに曲がっている。
【００１１】
（マスク本体部）
本実施形態において、マスク本体部１０１は、縦中央部にマスク本体部１０１を二分する縦中心線１３０を有する。縦中心線１３０により、マスク１００が使用されていない状態においては、マスク本体部１０１が二つ折りにされる。一方、マスクの使用時においては、マスク本体部１０１を外側に向かって開くことにより立体形状が形成できる。マスク本体部１０１を縦中心線１３０で二つ折りにしたとき、縦中心線１３０が円弧状部分を有することがよい。これにより、マスク本体部１０１が鼻部に沿って突出し、カップ状の凸部を形成することができる。
【００１２】
なお、マスク本体部１０１の縦中央部とは、縦中心線１３０を含む幅をもった領域であり、マスク１００を適切に使用した際に顔の鼻部を通る縦方向の領域である。また、縦中心線１３０は、マスク本体部１０１の上端から下端に達する線であり、マスク本体部１０１に実在する線である。
【００１３】
マスク本体部１０１の上辺および下辺の形状は、使用者の顔にフィットしやすくなるよう適宜調整されるものであり、直線である場合だけでなく、円弧状、凸部を有するもの、曲線部を有するものであってもよい。
【００１４】
また、マスク本体部１０１は、縦中心線１３０にそって、縦中心線１３０により二分される一方のマスク本体部１０１と他方のマスク本体部１０１とを接着するシール領域１１３を有している。より詳細には、図１に示すように、シール領域１１３ａは使用者の鼻接着領域付近、シール領域１１３ｂは使用者の顎接着領域付近に配置されている。シール領域１１３ａは、マスク本体部１０１の上辺近傍に形成されているが、上辺までは到達しないものである。すなわち、縦中心線１３０と、マスク本体部１０１の上辺が交わる領域には、シール領域１１３ａが形成されていない。これにより、使用者の鼻部から目元にかけてマスク本体部１０１が密着しやすくなり、フィット性が向上するにも関わらず、シール領域１１３ａのシール端部が顔に接触しないので肌あたりを良好にできる。シール領域１１３ｂは、マスク本体部１０１の中央部やや下方から、マスク本体部１０１の下辺に向かって形成されている。シール領域１１３ｂもシール領域１１３ａと同様な理由から、マスク本体部１０１の下辺までは到達していない。すなわち、シール領域１１３は、マスク本体部１０１の上辺および下辺に到達していないものである。
シール領域１１３は、マスク本体部１０１の一部を圧着することで形成することができる。シール領域１１３ａ、シール領域１１３ｂは、形成領域全面が圧着されたものでもよいが、マスク１００の着用時に耳掛け部１０２及びマスク本体部１０１が引っ張られる場合などに過度な力が掛かった場合であってもシール領域１１３の強度を十分に担保する観点から、形成領域においてマスク本体部１０１がストライプ模様を形成するように配置されたものであることが好ましい（図１）。
【００１５】
マスク本体部１０１は、シート状であり、さらに具体的には、一枚のシートから形成されている。
マスク本体部１０１を形成する一枚のシートとは、単一の構造（即ち１プライ）でもよく、或いは複数枚のシートが積層されて一体的な構造（即ちマルチプライ）でもよい。複数枚のシートを用いることにより、各シートに別個の機能を付与することで、マスク本体部１０１に種々の機能を付与することができる点から好ましい。複数枚のシートを用いる場合には、各シート同士は、全面接合されたラミネート状態でもよく、シート間が離間した状態でもよい。また、各シート間が離間した状態の場合の各シート同士の接合は、マスク本体部１０１の形状に沿って各シートの縁をシールしてもよく、縁の一部をポイントシールにより接合するのみでもよい。
マスク１００が後述する機能体を有する場合、マスク本体部１０１を構成する複数枚シートの間に機能体を挿入することにより、機能体が直接肌に触れなくなるので、マスク本体部１０１としては、複数枚シートを用いた方が好ましい。
本実施形態では、マスク本体部１０１が単一の構造である例について説明する。
【００１６】
マスク本体部１０１の材料は、マスクの技術分野において従来から用いられているものを用いることができ、一定の通気性を有するものであれば特にその種類に制限はない。例えば、不織布やガーゼ等の繊維シートを用いることができ、加工のしやすさや経済性の観点から不織布を用いることが好ましい。不織布の繊維素材としては、例えば、ＰＥＴ（ポリエチレンテレフタレート）等のポリエステル；ＰＥ（ポリエチレン）、ＰＰ（ポリプロピレン）、エチレンプロピレン共重合体等のポリオレフィン；レーヨン；コットン等から選択される１種又は２種以上の繊維で構成されるものが好ましい。また、不織布としては、前記の１種又は２種以上の素材の繊維を用いて、エアスルー法、スパンボンド法、ニードルパンチ法、メルトブローン法、カード法、熱融着法、水流交絡法、および溶剤接着法等により製造されたものを用いることができる。
【００１７】
マスク本体部１０１の坪量は、内部が透けて見えてしまうことを防止する観点や保温性、柔軟性、厚み、シート強度をバランスよく高める観点から、５ｇ／ｍ２以上であることが好ましく、１０ｇ／ｍ２以上であることがより好ましく、３０ｇ／ｍ２以上であることがさらに好ましく、また、２００ｇ／ｍ２以下であることが好ましく、１５０ｇ／ｍ２以下であることがより好ましく、１２０ｇ／ｍ２以下であることがさらに好ましい。また、坪量が５ｇ／ｍ２以上２００ｇ／ｍ２以下であることが好ましく、１０ｇ／ｍ２以上１５０ｇ／ｍ２以下であることがより好ましく、３０ｇ／ｍ２以上１２０ｇ／ｍ２以下であることがさらに好ましい。
【００１８】
なお、マスク１００が後述する機能体を備える場合、機能体は、例えばマスク本体部１０１の使用者側の面（内側面）にはりつけたり、マスク本体部１０１に例えば袋状の機能体収容部を設けるなどの方法でマスク本体部１０１に保持することが好ましい。この場合マスク本体部１０１を多層構造とすることができる。機能体を保持した状態であっても、マスク本体部１０１の形状を安定に保ち、機能体を安定に保持し、更にマスク１００内の空間を十分に保持する保形性を持たせる観点から、マスク本体部１０１はやや硬めの構造である事が好ましく、例えばマスク本体部１０１の構成材料全体としての坪量が４０ｇ／ｍ２以上である事が好ましく、６０ｇ／ｍ２以上である事がより好ましく、７０ｇ／ｍ２以上である事がより好ましい。また、装着感の観点から、マスク本体部１０１の構成材料全体としての坪量が２００ｇ／ｍ２以下である事が好ましく、１８０ｇ／ｍ２以下である事がより好ましく、１５０ｇ／ｍ２以下である事が更に好ましい。
また、マスク本体部１０１が多層構造を取る場合、着用した際に使用者側とは反対側の面（外側）に配されるマスク本体部１０１の構成材料と、着用した際に内側に配されるマスク本体部１０１の構成材料とが異なる方が好ましい。具体的には、着用した際に外側に配されるマスク本体部１０１の構成材料はマスクに保形性を与える上で適した構成材料を選択する事が好ましく、また、着用した際に内側に配されるマスク本体部１０１の構成材料は肌あたり改善を目的とした構成材料を選択する事が好ましい。
【００１９】
（耳掛け部）
耳掛け部１０２は、マスク本体部１０１の両端部に接合され、使用者の顔に保持するものである。耳掛け部１０２の接合方法は、特に限定されず、公知の方法を用いることができる。
耳掛け部１０２は、マスク本体部１０１の長手方向（幅方向）の左右端部に一対で設けられている。本実施形態において、耳掛け部１０２は、平面視において角丸略四角形状である。
【００２０】
本実施形態において、耳掛け部１０２の伸縮方向Ｄ１は、マスク本体部１０１側から反対側に向かう方向である。すなわち、マスク本体部１０１と耳掛け部１０２が接合された側（基端側）から、耳掛け部１０２の先端側（端部側）に向かって、耳掛け部１０２が最も伸縮しやすい方向、または、使用時において耳掛け部１０２が伸長する方向を意図する。これにより、マスク１００使用時において、耳掛け部１０２が伸長し使用者の耳にかけやすくなるとともに、マスク本体部１０１を使用者の顔に安定的に保持できるようになる。
【００２１】
また、耳掛け部１０２の伸縮方向に垂直な方向における破断荷重は、６．００Ｎ以上であることが好ましい。これにより、耳掛け部１０２の千切れの発生を低減しつつ、マスク１００のフィット感を良好にできる。
なお、耳掛け部１０２の伸縮方向に垂直な方向における破断荷重は、引張・圧縮試験機（テンシロン等）を使って測定することができる。耳掛け部１０２の基端側（第１点）において、基端部（第１点）と、上述の第２点とを結ぶ直線に対して垂直に切断し、耳掛け部１０２の上下方向においてスリット１５０近傍をチャックにより挟み、耳掛け部１０２の上下方向に応力をかけ、耳掛け部１０２が破断したときの応力を測定することができる。
【００２２】
耳掛け部１０２は、伸縮性を有する材料であれば特に限定されず用いることができ、マスク本体部１０１と同様な材料であってもよく、異なる材料であってもよい。マスク１００のフィット感を良好にする観点から、マスク本体部１０１の幅方向に伸長しやすいものがよい。本実施形態においては、耳掛け部１０２は不織布からなることが好ましい。
【００２３】
（スリット）
耳掛け部１０２は、平面視における中央領域に、使用者の耳を挿入するためのスリット１５０を有する。スリット１５０とは、隙間、裂け目であって、耳掛け部１０２の形成時において、捨て材を発生しないようにして形成されたものを意図する。なお、本実施形態において、耳掛け部１０２は、開口、すなわち耳掛け部１０２を貫通する穴を実質的に有さないものである。なお、実質的とは、使用者の耳を挿入するために設けられたものを意図する。
スリット１５０は、耳掛け部１０２の伸縮方向Ｄ１に延びるとともに、耳掛け部１０２の先端側においてなだらかに曲がっている。スリット１５０がなだらかに曲がることにより、耳掛け部１０２の伸縮方向Ｄ１に垂直な方向に向かって、耳掛け部１０２が千切れやすくなることを効果的に低減できるようになる。
また、図２に示すように、マスク１００使用時において、耳掛け部１０２の基端側から端部側に向かって広がる開口部１５０Ａが形成でき、フラップ１５０Ｂが形成される。使用者は、開口部１５０Ａに耳を挿入し、マスク１００を装着する。開口部１５０Ａは、耳掛け部１０２の伸縮方向Ｄ１に幅広となっている。これにより、マスク１００のフィット感を良好にできる。
【００２４】
なお、なだらかに曲がるとは、Ｌ字形状やＴ字形状に見られる明確な角がないことを意図する。また、スリット１５０が耳掛け部１０２の伸縮方向Ｄ１に延びるとは、耳掛け部１０２の伸縮方向Ｄ１に対し厳密に平行である場合に限られず、スリット１５０の耳掛け部１０２の伸縮方向に延びる領域全体において、直線または緩やかな曲線、直線と緩やかな曲線を一部に含むもの、複数の曲線を含むものであってもよい。
【００２５】
スリット１５０は交点を有さないことがよい。すなわち、スリット１５０は連続的であり、２以上の直線または曲線が交わる点を有さないことがよい。これにより、交点から耳掛け部１０２が千切れることを抑制できる。
【００２６】
また、図１、２に示すように、スリット１５０は、耳掛け部１０２の先端側において湾曲している。本実施形態においては、スリット１５０が耳掛け部１０２の先端側からマスク本体部１０１側に折り返すように曲がっている。これにより、開口部１５０Ａを形成しやすくなる。
【００２７】
ここで、図１に示すように、スリット１５０のマスク本体部１０１側に最も近い点をＰ１とし、Ｐ１から伸縮方向Ｄ１に最も離れたスリット１５０上の点をＰ２とし、Ｐ１を始点とし、Ｐ１から連続したスリット１５０の終点をＰ３とし、Ｐ１を始点とし、Ｐ１からＰ２まで連続したスリット１５０を第１スリット１５０ａとし、第１スリット１５０ａのうち、Ｐ１とＰ２とを結ぶ直線からの距離が最も遠い点をＰ４とする。また、Ｐ２からＰ３まで連続したスリット１５０を第２スリット１５０ｂとする。さらに、Ｐ３における接線Ｌ３のＰ２における接線Ｌ２に対する角度をα１、Ｐ４における接線Ｌ４の接線Ｌ２に対する角度をα２とする。
【００２８】
上記のα１が、１２０°以下であることが好ましい。α１を上限値以下とすることにより、マスク１００のフィット感を得つつ、千切れの発生をより確実に抑制できる。一方、α１の下限値は特に限定されないが、開口部１５０Ａをより形成しやすくする観点から、３０°以上が好ましい。α１は、より好ましくは、６０°以上、１００°以下である。
【００２９】
上記のα２が、６０°以上、１２０°以下であることが好ましい。α２を上限値以下とすることにより、マスク１００のフィット感を得つつ、千切れの発生をより確実に抑制できる。一方、α２を下限値以上とすることにより、開口部１５０Ａを形成しやすくなる。α２は、より好ましくは、７０°以上、９０°以下である。
【００３０】
また、スリット１５０のＰ２を含む曲率半径が、５ｍｍ以上２０ｍｍ以下であることが好ましい。当該曲率半径を下限値以上とすることにより、耳掛け部１０２において開口部１５０Ａが形成されやすくなり、当該曲率半径を上限値以下とすることにより、耳掛け部１０２の強度を保持できる。より好ましい曲率半径は、７ｍｍ以上１５ｍ以下である。
【００３１】
また、本実施形態においては、スリット１５０のＰ３が、Ｐ１とＰ２を結ぶ直線に対し、マスク１００の使用時において使用者の耳の上側に近い側に配置されている。
すなわち耳掛け部１０２の伸縮方向Ｄ１に延びたスリット１５０が、耳掛け部１０２の先端側で折り返す際、耳掛け部１０２の上側に向かって曲がっていることが好ましい。これにより、マスク１００使用時において、開口部１５０Ａに対しフラップ１５０Ｂが上側に形成されることになる。そのため、フラップ１５０Ｂが使用者の耳、特に耳穴付近に接触することを抑制し、使用感を良好に保持できる。
【００３２】
本実施形態においては、Ｐ１からＰ２まで連続する第１スリット１５０ａがＰ４を頂点とする円弧状であり、かつＰ４の位置がＰ１よりもＰ２に近く、Ｐ２からＰ３まで連続する第２スリット１５０ｂがＰ３を頂点とする円弧状であり、かつ第１スリット１５０ａの長さよりも短い。より具体的には、スリット１５０は耳掛け部１０２の使用者側とは反対側から見た時の平面視において「略しの字」、耳掛け部１０２の使用者側から見た時の平面視において「略Ｊの字」形状である。すなわち、耳掛け部１０２の伸縮方向Ｄ１において耳掛け部１０２の下端に向かいやや湾曲しつつ、耳掛け部１０２の先端側において大きく上端に向かって曲がり、マスク本体部１０１側に折り返している。これにより、耳掛け部１０２の伸縮性を利用して開口部１５０Ａを形成しやすくしつつ、マスク１００使用時における耳掛け部１０２の千切れ発生を効果的に抑制し、マスク１００のフィット感を良好にできる。
【００３３】
図１に示すように、本実施形態において、耳掛け部１０２において、マスク１００の使用時において使用者の耳の上側に近い側の端部を上端とし、使用者の耳の下側に近い側の端部を下端と定義し、伸縮方向Ｄ１に対して垂直な方向における耳掛け部１０２の下端からスリット１５０までの距離が最短となるときの耳掛け部１０２の上端から下端までの長さｂ（ｍｍ）に対する、耳掛け部１０２の下端からスリット１５０までの最短距離ａ（ｍｍ）（ａ／ｂ）が１／２未満である。これにより、耳掛け部１０２の下側領域の幅が小さくなり、マスク１００使用時に耳掛け部１０２の下側領域が伸長しやすくなり、マスク１００のフィット感を向上しやすくなる。また、マスク１００が後述する機能体を備える場合、機能体による作用効果を効率よく得られるようになる（図４参照）。一方、耳掛け部１０２の下端部の破損等を抑制する観点から、ａ／ｂは１／５以上であることが好ましい。
【００３４】
また、図１に示すように、スリット１５０の耳掛け部１０２の伸縮方向Ｄ１における最大長さをｌ（ｍｍ）としたとき、ｌ（ｍｍ）は耳掛け部１０２の伸縮方向Ｄ１における最大長さに対し、２／３以上、９／１０以下であることが好ましい。これにより、耳掛け部１０２の強度を維持しつつ、開口部１５０Ａを形成してフィット感を良好にできる。
【００３５】
なお、本実施形態において、耳掛け部１０２およびスリット１５０の長さとは、耳掛け部１０２およびスリット１５０を伸長させない状態であって、マスク１００の使用前の状態を意図する。
【００３６】
以下、図３を用いて、スリット１５０の変形例について説明する。
図３（ａ）〜（ｃ）には、左部がマスク本体部１０１との接合部である耳掛け部１０２に備えられたスリット１５１〜スリット１５３がそれぞれ示されている。さらに、スリット１５１〜スリット１５３のマスク本体部１０１側に最も近い点をそれぞれＰ１とし、Ｐ１から伸縮方向Ｄ１に最も離れたスリット１５１〜スリット１５３上の点をそれぞれＰ２とし、Ｐ１を始点とし、Ｐ１から連続したスリット１５１〜スリット１５３の終点をそれぞれＰ３とし、Ｐ１を始点とし、Ｐ１からＰ２まで連続したスリット１５１〜スリット１５３のうち、Ｐ１とＰ２とを結ぶ直線からの距離が最も遠い点をそれぞれＰ４とし、Ｐ３における接線Ｌ３と、Ｐ２における接線Ｌ２が示されている。
【００３７】
図３（ａ）に示すように、スリット１５１は、Ｐ１からＰ２までほぼ直線であり、Ｐ２において耳掛け部１０２の伸縮方向に対し垂直方向に向かってなだらかな角となるように曲がっている。言い換えると、スリット１５１は、略Ｌ字状であり、Ｌ字の角部分がなだらかに曲がっている例である。これにより開口部が大きくなり、耳かけがしやすくなる。この場合、Ｐ２とＰ３は同一直線上となり、α１は０°となる。
図３（ｂ）に示すように、スリット１５２は、耳掛け部１０２の伸縮方向に延在する方向において、Ｐ１とＰ２を結ぶ直線よりも下側の領域において、上側に向かう円弧を有するとともに、耳掛け部１０２の先端側において円を描くようになだらかに曲がっている例である。
また、図３（ｃ）に示すように、スリット１５３は、Ｐ１からＰ２に連続する第１スリット１５０ａが、Ｐ１とＰ２を結ぶ直線よりも、上側に湾曲した後に、下側にさらに湾曲し、Ｐ２においてマスク本体部１０１側に向かって折り返すように曲がっている。すなわち、スリット１５３は、略Ｓ字状であり、耳掛け部１０２の先端側において円を描くようになだらかに曲がっている例である。
スリット１５２およびスリット１５３においては、耳掛け部１０２の伸縮方向に対する強度がより保持されやすくなる。
【００３８】
なお、本実施形態においては、スリット１５０の基端側の形状が、直線状である例について説明したが、耳掛け部１０２の千切れ発生抑制の観点からは、スリット１５０の基端側の形状は、特に限定されない。例えば、スリット１５０の基端側においても、なだらかな曲線があってもよい。ただし、意匠性、製造コスト、および耳掛け部１０２の強度の観点から、スリット１５０の基端側の形状が、直線状であることが好ましい。
【００３９】
また、本実施形態においては、スリット１５０が予め耳掛け部１０２に備えられている場合について説明したが、スリットが、マスク１００の使用時において破線部を切り離すことにより形成されるように構成されているものであってもよい。すなわち、使用者がマスク１００を購入後、使用する際に破線部を手で切り離してから、スリット１５０を形成し、使用するものであってもよい。
【００４０】
上述した実施形態に関し、本発明はさらに以下のマスク、或いは用途等を開示する。
【００４１】
マスク１００のマスク本体部１０１が、機能体を有するものであってもよい。
機能体とは、さらにマスク１００の機能を追加させるものであり、その形状や形態は特に限定されない。例えば、保温、加温、保湿、加湿、保冷、急冷、芳香、抗菌、および防塵機能等を付与するものを更に有してもよく、これらを複合した機能であってもよい。
機能体は、マスク１００と予め一体になっているものであってもよく、使用者が使用時においてマスク１００に付加するものであってもよい。付加する方法としては、例えば、マスク本体部１０１に形成された機能体を収容する袋内に収容してもよく、また、粘着剤などによりマスク本体部１０１に付着させてもよい。
また、機能体の形状は、マスクの携帯性、軽量性の観点から、薄く、平坦なものであることが好ましい。さらに機能体は、マスク１００のマスクとしての機能が損なわれない範囲において、マスク本体部１０１のどの領域に配置されてよく、機能が得られやすい位置に配置される。
【００４２】
なかでも、マスク１００による香りによるリラックス効果、快適性などが得られる観点からは、芳香機能を有することが好ましい。芳香機能を有する機能体としては、例えば、香り成分を有するシート材料を、マスク本体部１０１に装着することが挙げられる。
【００４３】
また、マスク１００による良好な使用感により、フィット性が向上し効果的に保湿および加湿できる観点から、機能体が加湿機能を有することが好ましい。また、マスク１００による良好な使用感により、フィット性が向上し効果的に加温および加温できる観点から、機能体が加温機能を有することが好ましい。温熱蒸気効果を得る観点からは、機能体は一対であり、使用者の鼻部を左右から覆う領域に配置されることが好ましい。
さらには、機能体が加湿と加温機能を兼ね備え、被酸化性金属の酸化反応により温熱蒸気を発生することが好ましい。これによりマスク１００の利便性、軽量性を維持しつつ、加温および加湿効果が得られる。以下、温熱蒸気発生体１２０を備えるマスク１００について、詳述する。
【００４４】
（温熱蒸気発生体）
図４は、本実施形態の機能体を有するマスクを模式的に示す平面図であり、図５は、本実施形態の機能体を説明する断面図である。
図４に示すように、マスク１００は、マスク本体部１０１の使用者側の面に一対の温熱蒸気発生体１２０を有している。温熱蒸気発生体１２０は、マスク１００の使用時において、使用者の鼻部を左右から覆う領域に備えられている。
【００４５】
図５に示すように、温熱蒸気発生体１２０は内部に水蒸気発生部１２１を収容している。本実施形態において、温熱蒸気発生体１２０は、水蒸気発生部１２１、およびこれを収容する袋体１２２を有している。袋体１２２は、使用者側（肌側）の面に第１シート１２２Ａ、及び使用者側（肌側）の面とは反対側の面に第２シート１２２Ｂを備える。
なお、温熱蒸気発生体１２０は、空気中の酸素と反応することにより、発熱すると共に水蒸気を発生するものである。これにより、温められた水蒸気を供給することができる。そのため、温熱蒸気発生体１２０は、マスク１００の使用前まで、酸素が遮断された状態となっている。
【００４６】
水蒸気発生部１２１は、被酸化性金属、吸水剤、水、電解質、その他必要に応じて反応促進剤等を含んでいる態様が挙げられる。
水蒸気発生部１２１が空気と接触すると、それに含まれている被酸化性金属の酸化反応が起こり、熱が発生する。この熱によって水蒸気発生部１２１に含まれている水が加熱されて所定温度の水蒸気となり、袋体１２２を通じて外部へ放出される。水蒸気は、袋体１２２のうち通気性部位から外部へ放出される。これにより、簡便な方法で蒸気を得ることができる。
【００４７】
被酸化性金属は、酸化反応熱を発する金属であり、例えば、鉄、アルミニウム、亜鉛、マンガン、マグネシウム、及びカルシウムから選ばれる１種又は２種以上の粉末あるいは繊維が挙げられる。中でも、取り扱い性、安全性、製造コスト、保存性及び安定性の点から鉄粉が好ましい。鉄粉としては、例えば、還元鉄粉、及びアトマイズ鉄粉から選ばれる１種又は２種以上が挙げられる。
【００４８】
水蒸気発生部１２１における被酸化性金属の含有量は、坪量で表して、１００ｇ／ｍ２以上であることが好ましく、２００ｇ／ｍ２以上であることがより好ましい。また、水蒸気発生部１２１における被酸化性金属の含有量は、坪量で表して３０００ｇ／ｍ２以下であることが好ましく、１６００ｇ／ｍ２以下であることがより好ましい。
また、好ましくは、１００ｇ／ｍ２以上３０００ｇ／ｍ２以下であり、さらに好ましくは、２００ｇ／ｍ２以上１６００ｇ／ｍ２以下である。これにより、温熱蒸気発生体１２０の発熱温度を所望の温度に上昇させることができる。
ここで、被酸化性金属の含有量は、ＪＩＳ  Ｐ８１２８に準じる灰分試験や、熱重量測定器で求めることができる。他に外部磁場を印加すると磁化が生じる性質を利用して振動試料型磁化測定試験等により定量することができる。
【００４９】
吸水剤としては、水の保持が可能なものであればその種類に特に制限はないが、例えば、炭素成分、繊維状物、吸水性ポリマー、及び吸水性の粉体から選ばれる１種又は２種以上が挙げられる。吸水剤は、水蒸気発生部１２１の形態に応じて適切なものが用いられる。
【００５０】
炭素成分としては、保水能、酸素供給能、及び、触媒能を有するものを用いることができ、例えば、活性炭、アセチレンブラック、及び黒鉛から選ばれる１種又は２種以上を用いることができる。このなかでも、活性炭が好ましく、椰子殻炭、木粉炭、及びピート炭から選ばれる１種又は２種以上の微細な粉末状物又は小粒状物がより好ましい。中でも、良好な加温加湿効果を得る観点から、木粉炭がさらに好ましい。
【００５１】
水蒸気発生部１２１は、水を含む。水は、電解質水溶液（たとえば、アルカリ金属、アルカリ土類金属等の水溶液）由来のものであってもよく、また、水単独で、水蒸気発生部１２１に添加されたものでもよく、特に限定されない。
【００５２】
水蒸気発生部１２１は、上述した各成分に加えて、増粘剤、界面活性剤、薬剤、凝集剤、着色剤、紙力増強剤、ｐＨ調整剤（例えば、リン酸三カリウムなど）、嵩高剤等を含むこともできる。
【００５３】
水蒸気発生部１２１は、温熱蒸気発生体１２０の第１シート１２２Ａと第２シート１２２Ｂを備える袋体１２２に収容されている。すなわち、温熱蒸気発生体１２０は、第１シート１２２Ａと第２シート１２２Ｂとを含んで構成されており、これらの第１シート１２２Ａと第２シート１２２Ｂの周縁部を好ましくは密閉接合することで袋体１２２が構成されている。第１シート１２２Ａと第２シート１２２Ｂの周縁部以外の領域は非接合領域であり、非接合領域内に水蒸気発生部１２１が配置される。
【００５４】
本実施形態において、水蒸気発生部１２１の使用者側の面に第１シート１２２Ａが配置され、水蒸気発生部１２１の使用者側の面と反対側の面上に第２シート１２２Ｂが配置される。
それぞれの透気度について、以下詳述する。
【００５５】
本実施形態において、シート等の透気度は、以下のようにして計測することができる。
透気度はＪＩＳ  Ｐ８１１７（２００９年改正版）によって測定される値であり、一定の圧力のもとで１００ｍｌの空気が６．４２ｃｍ２の面積を通過する時間として定義される。したがって、透気度の数値が大きいことは空気の通過に時間がかかること、即ち通気性が低いことを意味している。逆に、透気度の数値が小さいことは通気性が高いことを意味している。このように、透気度の数値の大小と通気性の高低とは逆の関係を示す。透気度は、王研式透気度計で計測することができる。
なお、本明細書中において、この透気度が３００００秒／１００ｍｌ以上となるものを「難通気」、８００００秒／１００ｍｌ以上となるものを「非通気」であるものとして扱う。
【００５６】
第１シート１２２Ａの透気度は、好ましくは７０００秒／１００ｍｌ以下であり、好ましくは５０００秒／１００ｍｌ以下であり、さらに好ましくは２５００秒／１００ｍｌ以下であり、ことさら好ましくは１０００秒／１００ｍｌ以下であり、さらには、６００秒／１００ｍｌ以下、１０秒／１００ｍｌ以下、５秒／１００ｍｌ以下、０秒／１００ｍｌの順でより好ましい。
【００５７】
このような透気度を有する第１シート１２２Ａとしては、例えば透湿性は有するが透水性を有さない合成樹脂製の多孔性シートを用いることが好適である。具体的には、ポリエチレンまたはポリプロピレンに炭酸カルシウム等を含有させ延伸したフィルムを用いることができる。かかる多孔性シートを用いる場合には、多孔性シートの外面にニードルパンチ不織布、エアスルー不織布、及び、スパンボンド不織布から選択される１種又は２種以上の不織布を始めとする各種の繊維シートをラミネートして、第１シート１２２Ａの風合いを高めてもよい。
また、第１シート１２２Ａは、上記の透気度を満足すれば、その一部が通気性を有しない非通気性シートであってもよい。
【００５８】
第２シート１２２Ｂは、その一部が通気性を有する通気性シートであってもよいし、通気性を有しない非通気性シートであってもよいが、全体としては通気性の低いシートが採用される。また、第２シート１２２Ｂの透気度は、第１シート１２２Ａの透気度より高いことが好ましく、具体的にはこの第２シート１２２Ｂの透気度として８０００秒／１００ｍｌ超であることがより好ましく、効果的にマスク本体部１０１内を安定的に加温加湿できる観点から、非通気性シートであることがさらに好ましい。
【００５９】
第２シート１２２Ｂは、上記の透気度を満足すれば、用途に応じ、一層又は多層の合成樹脂製のフィルムや、該一層又は多層の合成樹脂製のフィルムの外面にニードルパンチ不織布、エアスルー不織布、及びスパンボンド不織布から選択される１種又は２種以上の不織布を始めとする各種の繊維シートをラミネートして、第２シート１２２Ｂの風合いを高めることもできる。具体的には、ポリエチレンフィルムとポリエチレンテレフタレートフィルムからなる２層フィルム、ポリエチレンフィルムと不織布とからなるラミネートフィルム、ポリエチレンフィルムとパルプシートからなるラミネートフィルムなどが用いられるが、ポリエチレンフィルムとパルプシートからなるラミネートフィルムが殊更に好ましい。
【００６０】
第２シート１２２Ｂは、上述の透気度の値を満足すれば、第１シート１２２Ａと同様の素材を用いることができるし、あるいは、異なる素材を用いることができる。
【００６１】
水蒸気発生部１２１の製造方法の例について、以下、説明する。
水蒸気発生部１２１が例えばシート状である場合には、例えば本出願人の先の出願にかかる特開２００３−１０２７６１号公報に記載の湿式抄造法や、ダイコーターを用いたエクストルージョン法を用いることができる。また、水蒸気発生部１２１が、塗工シートからなる場合は、例えば本出願人の先の出願に係る特開２０１３−１４６５５４号公報に記載の方法で、保水シートに発熱粉体水分散液を塗工して、発熱層と保水シートとを備える発熱物の連続長尺物を任意の大きさに裁断して得られるものであってもよい。水蒸気発生部１２１は、１枚でもよく、複数枚を積層させた多層状態で収容してもよい。
【００６２】
以上、図面を参照して本発明の実施形態について述べたが、これらは本発明の例示であり、上記以外の様々な構成を採用することもできる。
【００６３】
上述した実施形態に関し、本発明はさらに以下の組成物、製造方法、或いは用途を開示する。
＜１＞
使用者の口および鼻を覆うマスク本体部と、
前記マスク本体部の両端部に設けられ、前記マスク本体部を前記使用者の顔に保持する耳掛け部と、
を備え、
前記耳掛け部は、前記使用者の耳を挿入するためのスリットを有し、前記マスク本体部側から先端部側に最も伸縮する方向を伸縮方向とし、
前記スリットは、前記耳掛け部の前記伸縮方向に延びるとともに、前記耳掛け部の先端側においてなだらかに曲がっている、マスク。
＜２＞
前記スリットが交点を有さない、＜１＞に記載のマスク。
＜３＞
前記スリットが、前記耳掛け部の先端側から前記マスク本体部側に折り返すように曲がっている、＜１＞または２に記載のマスク。
＜４＞
前記スリットの前記マスク本体部側に最も近い点を第１点とし、
第１点から前記伸縮方向に最も離れた前記スリット上の点を第２点とし、
第１点を始点とし、第１点から連続した前記スリットの終点を第３点としたとき、
第３点における接線が、第２点における接線に対し、１２０°以下である、＜１＞乃至＜３＞いずれか一に記載のマスク。
＜５＞
第３点における前記接線が、第２点における前記接線に対し、好ましくは、３０°以上であり、より好ましくは、６０°以上であり、一方、好ましくは、１００°以下である、＜４＞に記載のマスク。
＜６＞
第１点を始点とし、第１点から第２点まで連続した前記スリットのうち、第１点と第２点とを結ぶ直線からの距離が最も遠い点を第４点としたとき、
第４点における接線が、第２点における接線に対し、６０°以上、１２０°以下である、＜１＞乃至＜４＞いずれか一に記載のマスク。
＜７＞
第４点における前記接線が、第２点における前記接線に対し、好ましくは、７０°以上、９０°以下である、＜６＞に記載のマスク。
＜８＞
前記スリットの第２点を含む曲率半径が、５ｍｍ以上２０ｍｍ以下であり、好ましくは７ｍｍ以上１５ｍ以下である、＜４＞乃至＜７＞いずれか一に記載のマスク。
＜９＞
前記スリットの第３点が、第１点と第２点を結ぶ直線に対し、前記マスクの使用時において使用者の耳の上側に近い側に配置される、＜４＞乃至＜８＞いずれか一に記載のマスク。
＜１０＞
前記耳掛け部において、前記マスクの使用時において使用者の耳の上側に近い側の端部を上端とし、使用者の耳の下側に近い側の端部を下端と定義し、
前記伸縮方向に対して垂直な方向における前記耳掛け部の下端から前記スリットまでの距離が最短となるときの前記耳掛け部の上端から下端までの長さに対する、前記耳掛け部の下端から前記スリットまでの最短距離が１／２未満であり、好ましくは１／５以上である、＜１＞乃至＜９＞いずれか一に記載のマスク。
＜１１＞
前記スリットの前記耳掛け部の伸縮方向における最大長さをｌ（ｍｍ）としたとき、ｌ（ｍｍ）は前記耳掛け部の前記伸縮方向における最大長さに対し、２／３以上、９／１０以下である、＜１＞乃至＜１０＞いずれか一に記載のマスク。
＜１２＞
第１点から第２点まで連続する第１スリットが第４点を頂点とする円弧状であり、かつ第４点の位置が第１点よりも第２点に近く、
第２点から第３点まで連続する第２スリットが第３点を頂点とする円弧状であり、かつ第１スリットの長さよりも短い、＜４＞乃至＜１１＞いずれか一に記載のマスク。
＜１３＞
前記耳掛け部は、不織布からなる、＜１＞乃至＜１２＞いずれか一に記載のマスク。
＜１４＞
前記耳掛け部は、平面視において角丸略四角形状である、＜１＞乃至＜１３＞いずれか一に記載のマスク。
＜１５＞
前記耳掛け部の伸縮方向に垂直な方向における破断荷重が、６．００Ｎ以上である、＜１＞乃至＜１４＞いずれか一に記載のマスク。
＜１６＞
前記マスク本体部が機能体を有する、＜１＞乃至＜１５＞いずれか一に記載のマスク。
＜１７＞
前記機能体が水蒸気を発生する、＜１６＞に記載のマスク。
＜１８＞
前記機能体が、被酸化性金属の酸化反応により温熱蒸気を発生する、＜１６＞または＜１７＞に記載のマスク。
＜１９＞
前記機能体が、被酸化性金属の酸化反応により温熱蒸気を発生する水蒸気発生部と、前記水蒸気発生部に収容する袋体と、を備える、＜１６＞乃至＜１８＞いずれか一に記載のマスク。
＜２０＞
前記袋体は、前記使用者側の面に第１シート、及び使用者側の面とは反対側の面に第２シートを備える、＜１９＞に記載のマスク。
＜２１＞
前記第１シートの透気度は、好ましくは７０００秒／１００ｍｌ以下であり、好ましくは５０００秒／１００ｍｌ以下であり、さらに好ましくは２５００秒／１００ｍｌ以下であり、ことさら好ましくは１０００秒／１００ｍｌ以下であり、さらには、６００秒／１００ｍｌ以下、１０秒／１００ｍｌ以下、５秒／１００ｍｌ以下、０秒／１００ｍｌの順でより好ましい、＜２０＞に記載のマスク。
＜２２＞
前記第２シートの透気度は、前記第１シートの透気度より高いことが好ましく、８０００秒／１００ｍｌ超であることがより好ましく、非通気性シートであることがさらに好ましい、＜２０＞または＜２１＞に記載のマスク。
＜２３＞
前記マスク本体部は、複数枚のシートが積層された一体的な構造である＜１＞乃至＜２２＞いずれか一に記載のマスク。
＜２４＞
前記マスク本体部の坪量は、５ｇ／ｍ２以上であることが好ましく、１０ｇ／ｍ２以上であることがより好ましく、３０ｇ／ｍ２以上であることがさらに好ましく、また、２００ｇ／ｍ２以下であることが好ましく、１５０ｇ／ｍ２以下であることがより好ましく、１２０ｇ／ｍ２以下であることがさらに好ましいく、また、５ｇ／ｍ２以上２００ｇ／ｍ２以下であることが好ましく、１０ｇ／ｍ２以上１５０ｇ／ｍ２以下であることがより好ましく、３０ｇ／ｍ２以上１２０ｇ／ｍ２以下であることがさらに好ましい、＜１＞乃至＜２３＞いずれか一に記載のマスク。
＜２５＞
前記マスクが前記機能体を備える場合の前記マスク本体部の坪量は、４０ｇ／ｍ２以上である事が好ましく、６０ｇ／ｍ２以上である事がより好ましく、７０ｇ／ｍ２以上である事がより好ましく、また一方で、２００ｇ／ｍ２以下である事が好ましく、１８０ｇ／ｍ２以下である事がより好ましく、１５０ｇ／ｍ２以下である事が更に好ましい、＜１６＞乃至＜２４＞いずれか一に記載のマスク。
＜２６＞
前記機能体が香気成分を含む、＜１６＞乃至＜２５＞いずれか一に記載のマスク。
＜２７＞
前記マスク本体部は、縦中央部に前記マスク本体部を二分する縦中心線を有する、＜１＞乃至＜２６＞いずれか一に記載のマスク。
＜２８＞
前記マスク本体部は、前記縦中心線にそって、前記縦中心線により二分される一方の前記マスク本体部と他方の前記マスク本体部とを接着するシール領域を有している、＜１＞乃至＜２７＞いずれか一に記載のマスク。
＜２９＞
前記シール領域は、前記マスク本体部の上端および下端まで到達していない、＜２８＞に記載のマスク。
＜３０＞
前記スリットが、前記マスクの使用時において破線部を切り離すことにより形成されるように構成されている、＜１＞乃至＜２９＞いずれか一に記載のマスク。
＜３１＞
＜１＞乃至＜２９＞いずれか一に記載のマスクの使用方法であって、前記耳掛け部の前記スリットに使用者の耳を挿入し、前記マスクを装着する、マスクの使用方法。
【符号の説明】
【００６４】
１００    マスク
１０１    マスク本体部
１０２    耳掛け部
１０３    縦中央線
１２０    温熱蒸気発生体
１２１    水蒸気発生部
１２２    袋体
１２２Ａ    第１シート
１２２Ｂ    第２シート
１５０    スリット
１５０Ａ    開口部
１５０Ｂ    フラップ
１５１    スリット
１５２    スリット
１５３    スリット
【図１】
2019189988.tif 000003
【図２】
2019189988.tif 000004
【図３】
2019189988.tif 000005
【図４】
2019189988.tif 000006
【図５】
2019189988.tif 000007